(57)【要約】【課題】家庭用電気製品の通信モジュールの通信コードを同じになるようにトランスフォームすることができるようにした、自動化機能を有する家庭用電気製品通信制御コード・トランスフォーム・モジュールを提供する。【解決手段】家庭用電気製品に接続される二方向シリアル・トランスミッション・インターフェース２２と、リモート装置と通信接続を実行する特定通信装置１２と、特定通信装置１２と二方向シリアル・トランスミッション・インターフェース２２に接続され、家庭用電気製品とＳＡＡＮＥＴ通信協定を介して二方向シリアル・トランスミッションを実行でき、リモート装置と二方向通信制御を実行できるようにした二方向コード・トランスフォーマー１３とを有する。【選択図】図２
2005198244.tif 000002
【特許請求の範囲】
【請求項１】
家庭用電気製品に用いられ、少なくとも一つのリモート装置とリモート通信を実行でき、その家庭用電気製品においてはシステム・アプリケーション・アーキテクチャー・ネットワーク通信協定が実行されるように設定される、自動化機能を有する家庭用電気製品通信制御コード・トランスフォーム・モジュールにおいて、
前記の家庭用電気製品に接続される二方向シリアル・トランスミッション・インターフェースと、
商業用仕様の通信協定と通信実体層とを使用することによって前記のリモート装置と通信接続を実行する少なくとも一つの特定通信装置と、
前記の特定通信装置と前記の二方向シリアル・トランスミッション・インターフェースに接続され、家庭用電気製品とシステム・アプリケーション・アーキテクチャー・ネットワーク通信協定を介して二方向シリアル・トランスミッションを実行でき、且つ正逆二方向へ前記のシステム・アプリケーション・アーキテクチャー・ネットワーク通信協定における通信パッケージと前記の商業用仕様通信協定の情報パッケージをトランスフォームでき、リモート装置と二方向通信制御を実行できるようにした二方向コード・トランスフォーマーと、
を有することを特徴とする自動化機能を有する家庭用電気製品通信制御コード・トランスフォーム・モジュール。
【請求項２】
前記のリモート装置としてコンピュータ制御設備または他の家庭用電気製品等のいずれか一種を好適に使用されることを特徴とする請求項１に記載の自動化機能を有する家庭用電気製品通信制御コード・トランスフォーム・モジュール。
【請求項３】
前記の家庭用電気製品は、
前記のコード・トランスフォーム・モジュールにおける二方向シリアル・トランスミッション・インターフェースに接続される二方向シリアル・トランスミッション・インターフェースと、
前記の家庭用電気製品のオペレーティングを制御するとともに、前記のシステム・アプリケーション・アーキテクチャー・ネットワーク通信協定を実行し、前記の二方向コード・トランスフォーマーと前記のシステム・アプリケーション・アーキテクチャー・ネットワーク通信協定を介して二方向シリアル・トランスミッションを実行できるようにした、少なくとも一つのマイクロ・コントローラと、
をさらに有することを特徴とする請求項１に記載の自動化機能を有する家庭用電気製品通信制御コード・トランスフォーム・モジュール。
【請求項４】
前記のシステム・アプリケーション・アーキテクチャー・ネットワーク通信協定としてアプリケーション・プログラミング・インターフェースを使用し、それによって、前記のマイクロ・コントローラのコントロール・コマンドまたはメッセージを前記のシステム・アプリケーション・アーキテクチャー・ネットワーク・ネットワーク通信協定の通信パッケージになるように二方向トランスフォーム・コントロールを実行することを特徴とする請求項１に記載の自動化機能を有する家庭用電気製品通信制御コード・トランスフォーム・モジュール。
【請求項５】
前記の特定通信装置として国際的または区域的な通信標準仕様に該当するチップまたはモジュールを採用することを特徴とする請求項１に記載の自動化機能を有する家庭用電気製品通信制御コード・トランスフォーム・モジュール。
【請求項６】
前記の特定通信装置に用いられる商業用仕様の通信協定としてアメリカ地区のＳＣＰ，ＬoｎＴａｌｋ通信協定スタンダードや日本地区のＥＣＨＯＮＥＴ通信協定スタンダードやヨーロッパ地区のＫＮＸ通信協定スタンダードなどのいずれか一つまたは複数のものを使用できることを特徴とする請求項１に記載の自動化機能を有する家庭用電気製品通信制御コード・トランスフォーム・モジュール。
【請求項７】
前記の特定通信装置として電気コード通信チップまたはモジュールを好適に使用し、家庭中における電源コード回路を介して家庭用制御ネットワークを形成し、且つ前記のリモート装置と接続を実行するようにしたことを特徴とする請求項１に記載の自動化機能を有する家庭用電気製品通信制御コード・トランスフォーム・モジュール。
【請求項８】
前記の特定通信装置としてコードレス通信チップまたはモジュールを使用し、無線周波数を利用して前記のリモート装置と接続を実行するようにしたことを特徴とする請求項１に記載の自動化機能を有する家庭用電気製品通信制御コード・トランスフォーム・モジュール。
【請求項９】
前記の二方向コード・トランスフォーマーと前記のマイクロ・コントローラか前記のリモート装置との通信情報を記憶保存するための少なくとも一つの不揮発性メモリ・モジュールをさらに有するようにしたことを特徴とする請求項１に記載の自動化機能を有する家庭用電気製品通信制御コード・トランスフォーム・モジュール。
【請求項１０】
前記の特定通信装置においては、二種または二種以上の通信トランスミッション・メディア同士が存在する場合に、前記の二方向トランスフォーマーが特定の通信装置の通信品質の状況に従って好適な特定通信装置へ転換して通信トランスミッション・メディアとし、前記のリモート装置と接続を実行するようにしたことを特徴とする請求項１に記載の自動化機能を有する家庭用電気製品通信制御コード・トランスフォーム・モジュール。
【発明の詳細な説明】
【技術分野】
【０００１】
本発明は、自動化機能を有する家庭用電気製品通信制御コード・トランスフォーム・モジュールに係わり、特にマイクロ・コントローラを有する家庭用電気製品にコントロール・トランスフォーム・モジュールを加入することによって、共通の通信協定を使用可能に設定することによって、自動化機能を有する家庭用電気製品の応用と開発の技術を簡素化するようにした自動化機能を有する家庭用電気製品通信制御コード・トランスフォーム・モジュールに関するものである。
【背景技術】
【０００２】
さて、一般的なクーラーや冷蔵庫やテレビやステレオなどの家庭用電気製品などは、単独的にコントロール使用されるもののほうが多く、従来では、自動化機能を有する家庭用電気製品は、家庭用電気製品に対しリモート装置を介してそのオペレーティングをモニタリング及びコントロールできるものであり、しかしながら、それぞれの家庭用電気製品のメーカらは、すべて個別的な独自のコントロール・インターフェースと仕様のことを持っており、標準化が実現しがたくなっており、そのため、通用性を有する自動化機能を有する家庭用電気製品の普及のことが大きな制限を受けている。
【０００３】
従来技術の方面においては、全世界においては家庭用ネットワーク通信の仕様とスタンダードが十数種以上あり、その中では、トランスミッション・メディアとしてコードレスとコード付きとの二種類に分類されており、且つその通信速度が１Ｋｂｐｓないし１００Ｍｂｐｓのランクのものがあり、その中では、家庭用のマルチメディア・ネットワークの所要する周波数幅はほぼ４０Ｍｂｐｓ以上あり、また、ＬＡＮの所要する周波数幅がほぼ１０Ｍｂｐｓ以上あり、また、自動化機能を有する家庭用電気製品の所要するコントロール・ネットワークの周波数幅が単に１Ｋｂｐｓぐらいのランクを好適に使用すればよい。
【０００４】
全世界において、その自動化機能を有する家庭用電気製品のコントロール・ネットワークの通信スタンダードや仕様などがまだ統一化されていない現在では、従来では、区域性の通信標準仕様が提案されており、例えば、アメリカ地区のＳＣＰ，ＬｏｎＴａｌｋ通信協定スタンダードや、又例えば、日本地区のECHONET通信協定スタンダードや、ヨーロッパ地区のＫＮＸ通信協定スタンダードなどがある。
【０００５】
前記のそれぞれの通信協定スタンダードには、それぞれ特定の仕様の通信実体層が用意されてそれらと対応するようにアレンジされ、また、従来では、それぞれの地区における通信協定とそれらと対応するための通信協定実体層とがすべて一枚の特製の通信モジュールまたは通信チップに整合されて商業化の製品としてマーケットに配布され、そのような家庭用電気製品のメーカが、特定の仕様の自動化機能を有する家庭用電気製品を開発しようとする場合では、その仕様の通信協定を詳しく勉強する必要があり、且つその通信協定の第七層の通信協定と同じようなものによって、関連装置と通信しなければならない。
【０００６】
通信原理によると、二つの装置同士の間では、通信する機能を達成しようとする場合では、そのＯＳＩモデルの第一層乃至第七層の通信協定がすべて同じになる場合こそ達成できるものであり、簡単に言えば、同じような仕様の通信実体層を有させるべきとともに、同じような通信協定スタンダードを採用しなければならない。
【０００７】
しかしながら、従来の家庭用電気製品メーカの設計した家庭用電気製品において使用されているマイクロコントローラの機能のランクが低いほうのものに属し、直接に通信モジュールを外部より加入しようとする場合では、高いランクのマイクロコントローラを交換使用する必要があり、且つその採用した特定の通信モジュールの有すべき通信インターフェースと通信協定が複雑的になり、そのマイクロコントローラ内のプログラムが全部書き直す必要があり、且つ大容量のメモリを要し、そのかかった工程が膨大になり、開発者に対しては大きい負担を招く場合がある。もし、他の仕様の通信モジュールを交換しようとする場合では、そのマイクロコントローラ内の通信プログラムも全部書き直す必要があり、かなり不便的であるとともに、応用の柔軟性も欠けている。
【０００８】
そのため、本発明の発明者は前記の現在の家庭用電気製品のコントロール・インターフェースの仕様が、標準化しがたいものであると感じて、その不便さと欠点に鑑みて、研究開発を進めるとともに、学術の運用を合せて極めた結果、一種の自動化機能を有する家庭用電気製品コード・トランスフォーム・モジュールを提案し、本発明のコード・トランスフォーム・モジュールを利用することによってそれぞれ独自の家庭用電気製品を共通の通信協定モジュールを有させるようにトランスフォームし、自動化機能を有する家庭用電気製品の開発時間を簡素化し、それぞれ異なるブランドとそれぞれ異なる形式の製品がすべて共通する通信協定を利用して制御可能にトランスフォームされることができ、自動化電気製品の開発時間を短縮化でき、それぞれ異なるブランドとそれぞれ異なる形式の製品がすべて共通の通信協定を利用できるように設定することによって、設計が合理的で前記のそれぞれの課題を効果的な解消可能な発明を提供できるようになっている。
【発明の開示】
【発明が解決しようとする課題】
【０００９】
本発明は、それぞれの独自の家庭電気製品におけるマイクロコントローラのコントロール・コマンドまたはメッセージを共通する通信協定（ＳＡＡＮＥＴ）にトランスフォームでき、それぞれ異なるブランドとそれぞれ異なる形式の製品がすべて共通の通信協定を利用できるように設定することによって、自動化機能を有する家庭用製品を容易に作製できるような効果を達成できるようにした。自動化機能を有する家庭用電気製品通信制御コード・トランスフォーム・モジュールを提供することをその主要な解決しようとする課題とする。
【課題を解決するための手段】
【００１０】
前記の目的を達成するために、本発明は一種の自動化機能を有する家庭用電気製品通信制御コード・トランスフォーム・モジュールを提供し、それを家庭用電気製品に使用し、少なくとも一つのリモート装置と接続でき、そのトランスフォーム・モジュールには、少なくとも一つの特定通信装置と、二方向トランスフォーマーと、二方向シリアル・トランスミッション・インターフェースと、を備え、その二方向トランスフォーマーにおいては、システム・アプリケーション・アーキテクチャー・ネットワーク（ＳＡＡＮＥＴ）通信協定を実行し、その特定の通信装置が商業用仕様の通信協定と通信実体層を使用し、前記のリモート装置とリンクでき、且つ前記の二方向トランスフォーマーが前記の特定通信装置と前記の二方向シリアル・トランスミッション・インターフェースに接続され、接続しあう家庭電気製品内のあるマイクロコントローラとＳＡＡＮＥＴ通信協定と二方向シリアル・トランスミッションを実行でき、且つ前記のＳＡＡＮＥＴ通信協定における通信パッケージと前記の特定の通信装置のデータ・パッケージを二方向に沿ってトランスフォームでき、リモート装置と二方向通信制御を実行可能にする。
【発明を実施するための最良の形態】
【００１１】
本発明の達成しようとする目的とその採用した技術手段とその効果性などをさらに明らかに説明するために、以下に添付図面を参照しながら、本発明の実施可能な実施の形態を詳細的で具体的に説明するが、それらの説明と図面に開示される技術的要旨が単に本発明の実施可能な実施例に過ぎず、本発明の主張範囲と見なされるべきではないことは言うまでもない。
【００１２】
図１に示すのは、本発明の自動化機能を有する家庭用電気製品の構成を示すシステム構成図であり、また、図２は、本発明の通信制御コード・トランスフォーム・モジュールのハードウェアの構成を示す説明図である。本発明による自動化機能を有する家庭用電気製品通信制御コード・トランスフォーム・モジュール１０は、主に家庭用電気製品１に使用され、例えば、クーラーや冷蔵庫やテレビやステレオなどの家庭用電気製品に用いられるものであり、そのものによって、家庭用電気製品１に、少なくとも一つのリモート装置２とリンクまたはモニタリングできるように設定し、自動化機能を有する家庭用電気製品を形成し、また、そのリモート装置２としてコンピュータ・コントロール設備または他の家庭用電気製品を使用できる。
【００１３】
家庭用電気製品１とリモート装置２との間の相互のリンクのことが家庭制御ネットワーク３を形成し、且つその家庭制御ネットワーク３において、現在の商業用仕様通信協定、例えば、アメリカ地区のＳＣＰやＬｏｎＴａｌｋ通信協定スタンダードや、日本地区のＥＣＨＯＮＥＴ通信協定スタンダードや、ヨーロッパ地区のＫＮＸ通信協定スタンダードなどを使用でき、また、未来に制定される可能性のある国際性の家庭通信協定のスタンダードにも使用できる。また、家庭制御ネットワーク３が家庭中における電気コード回路または無線周波数（ＲＦ）をネットワークのトランスミッションのメディアとして利用できる。
【００１４】
そのため、本発明の通信制御トランスフォーム・モジュール１０が、その家庭用電気製品１とその家庭制御ネットワーク３との間の転移接続ブリッジとなっており、また、家庭用電気製品１においては、一般的には家庭電気制御電気回路１１が配設され、その家庭電器制御電気回路１１内においては、少なくとも一つのマイクロコントローラ２０を有し、それによって、家庭用電気製品１のオペレーティングを制御する。
【００１５】
本発明は、マイクロコントローラ２０において、システム・アプリケーション・アーキテクチャー・ネットワーク（ＳＡＡＮＥＴ）の通信協定２１が加入され、そのＳＡＡＮＥＴ通信協定２１が専用の家庭電気製品制御通信協定であり、アプリケーション・プログラミング・インターフェース（ＡＰＩ）となるように設計でき、それによって、マイクロコントローラ２０の制御コマンドまたはメッセージをＳＡＡＮＥＴ通信協定２１の通信パッケージとなるように二方向トランスフォームできる。また、本発明も家庭電気製品制御電気回路１１内に二方向シリアル・トランスミッション・インターフェース、例えば、ＲＳ−２３２通信インターフェースを配設し、それを介してトランスフォーム・モジュール１０とリンクするように設定する。
【００１６】
また、トランスフォーム・モジュール１０には、少なくとも一つの特定通信装置１２と、一つの二方向トランスフォーマー１３と、少なくとも一つの不揮発性メモリ１４とを有し、その中では、特定通信装置１２として商業用仕様の通信協定と通信実体層とを使用し、リモート装置２とリンクを実行することができ、また、前記の商業用仕様の通信協定として国際性または区域性の通信標準チップまたはモジュール、例えば、アメリカ地区のＳＣＰやＬｏｎＴａｌｋ通信協定標準チップや日本地区のＥＣＨＯＮＥＴ通信協定標準チップやヨーロッパ地区のＫＮＸ通信協定標準チップなどの任意のものを好適に使用できる。且つ通信トランスミッション・メディアの異なるに従ってコード付きのものとコードレスのような通信チップまたはモジュールを選択的に使用できる。
【００１７】
その中では、二方向トランスフォーマー１３が特定通信装置１２と二方向シリアル・トランスミッション・インターフェース２２に接続され、家庭電気製品制御電気回路１１におけるマイクロコントローラ２０と二方向のシリアル・トランスミッションリンクを実行でき、ＳＡＡＮＥＴ通信協定２１における通信パッケージと特定の通信装置１２のデータ・パッケージとを二方向に沿ってトランスフォームでき、リモート装置２と二方向通信制御を実行する。また、不揮発性メモリ１４が二方向トランスフォーマー１３とマイクロコントローラ２０またはリモート装置２との間の通信記録情報とネットワーク通信パラメータを記憶保存することに用いられる。
【００１８】
特定通信装置１２においては、二種または二種以上の通信トランスミッション・メディア同士を備える場合に、二方向トランスフォーマー１３がそれらの特定の通信装置１２の使用する通信トランスミッション・メディアの品質状態に従って適当に優れる特定通信トランスミッション・モジュールへ転換して通信トランスミッション・メディアとして使用し、リモート装置２とリンクを実行する。
【００１９】
例えば、特定通信装置１２においては電気コード付きの通信トランスミッション・モジュールとコードレス通信トランスミッション・モジュールとの二種類のものを有する場合、または、同時に複数種のそれぞれ異なる仕様の電気コード付き通信モジュールとコードレス通信モジュールとが存在する場合では、その中のある通信モジュールの通信品質が劣ってしまう場合に、自動的に他の通信モジュールに転換してもよい。
【００２０】
本発明のトランスフォームするＳＡＡＮＥＴ通信協定とその通信制御フローを列挙説明するために、図３に本発明のＳＡＡＮＥＴの通信協定の通信パッケージのデータのフォーマットを示す。本発明は、主に、そのマイクロコントローラ２０の制御コマンドとメッセージを前記のＳＡＡＮＥＴ通信協定の通信パッケージにトランスフォームするものであり、その目的は、前記のＳＡＡＮＥＴ通信パッケージと前記の商業用仕様の通信協定のデータ・パッケージとを二方向に沿ってトランスフォームするものである。前記のＳＡＡＮＥＴ通信協定の通信パッケージンには、六つのバイトを有するように設定でき、それぞれのものを下記のように定義する。つまり、
１．バイト０：このパッケージの長さを示す。
【００２１】
２．バイト１：この家庭用電気製品の類別コード（タイプＩＤ）を示し、例えば、Ｈ’０１によってクーラーを意味し、Ｈ’０２によって冷蔵庫を意味し、Ｈ’０３によって洗濯機を意味し、Ｈ’０４によって乾燥機と意味し、Ｈ’０５によってテレビを意味する。
【００２２】
３．バイト２：このパッケージの作動状態を意味し、例えば、ビット０ないしビット６はその動作の機能コード（Ｓｅｒｖｉｃｅ  ＩＤ）、例えば、起動や運転や閉鎖などを意味する。また、ビット７は読み取り／書き込み状態であり、０は読み取りと意味し、１は書き込みと意味する。
【００２３】
４．バイト３とバイト４：このパッケージ内の交換されたい情報を意味し、２バイトのデータ・フォーマットを使用でき、例えば、バイト３のビット７を数値の正負符号を代表し、０は“＋”と、１は“−”と代表し、また、バイト３のビット６は数値内に含まれる小数のシリアル数を代表し、０は整数を代表し、１は第一の位置にある小数のシリアル数を意味し、また、バイト３のビット５乃至バイト４のビット０が全部で１３個のバイト同士が１３バイトとの絶対整数値を代表するので、その表示範囲が−１６３８４〜１６３８４と−１６３８．４〜１６３８．４である。
【００２４】
５．バイト５：このパッケージのデータのチェック・コード（Ｃｈｅｃｋ  Ｓｕｍ）を代表し、その計算方法としてパッケージの第一個のバイト（バイト０）ないし第五個のバイト（バイト４）を設定することを利用でき、それぞれのバイトに対しＸＯＲ運算を実行し、その運算の最終値をまたこのバイト５に記憶保存する。
【００２５】
また、図４Ａ，Ｂに示すのは、本発明の通信フローを示す説明図である。本発明の通信コントロール・フローとしてマスター／スレーブ式の通信方式を採用でき、その中では、トランスフォーム・モジュール１０におけるトランスフォーマー１３がマスター端として作用し、また、家庭用電気製品１におけるマイクロコントローラ２０がスレーブ端として作用し、このようにして下記に説明する。
【００２６】
まず、マスター端がスレーブ端に対しコマンド・パッケージを送信し（Ｓ１００）、且つ、スレーブ端のレスポンス・パッケージを待ち、もし、マスター端より所定の時間が経ても依然としてスレーブ端のレスポンス・パッケージを受信しない場合、前記のマスター端より改めてそのコマンド・パッケージを送信し、もし、複数回繰り返しても依然としてそのスレーブ端からのレスポンス・パッケージを受信しない場合では、通信失敗と認め、通信を終了する。
【００２７】
前記のスレーブ端がマスター端からのコマンド・パッケージを受け取る場合に（Ｓ１０１）、先に、そのコマンド・パッケージにおけるバイト１（家庭用電気製品の類別コード）の値がスレーブ自身の値と同じであるかのことをチェックするとともに、バイト２（パッケージの作動状態）の値が正しいかをチェックし（Ｓ１０２）、且つバイト５（パッケージ情報の検査コード）の計算値がプラスの値であるかのことをチェックし、そのコマンド・パッケージにおけるバイト１とバイト２とバイト５の値と異なる場合、または正しくない場合では、バイト１またはバイト２の値を“ＦＦ”になるように直し、また、修正後の前記のコマンド・パッケージをフィード・バックし、レスポンス・パッケージと見なすように処理する（Ｓ１０３）。
【００２８】
もし、前記のコマンド・パッケージにおけるバイト１またはバイト２の値が同じであるとともに、正しい場合では、そのコマンド・パッケージの類型が読み取りコマンド（Ｒｅａｄ）または書き込みコマンド（Ｗｒｉｔｅ）と判定し（Ｓ１０４）、もし、それが読み取りコマンドと認められる場合では、前記のバイト３とバイト４（交換されたい情報データ）に実際の情報データを記入し（Ｓ１０５）、且つ総数チェック計算を実行してからバイト５に記入し、それから修正後の前記のコマンド・パッケージをレスポンス・パッケージとしてフィード・バックし（Ｓ１０６）、もし、それが書き込みコマンドである場合に、その書き込みコマンドを実行してから、直接にそのコマンド・パッケージをレスポンス・パッケージとしてフィード・バックする（Ｓ１０６）。
【００２９】
前記のマスター端が前記のスレーブ端のレスポンス・パッケージを受け取る場合では（Ｓ１０７）、そのコマンド・パッケージの類型が読み取りコマンドまたは書き込みコマンドであるかのことを判別し（Ｓ１０８）、もし、それが読み取りコマンドである場合に、前記のコマンド・パッケージとそのレスポンス・パッケージにおけるバイト１の値とが同じであるかのことをチェックし、且つバイト２の値が同じであるかのことをチェックし（Ｓ１０９）、且つバイト５の計算値が正しいかをチェックし、そのコマンド・パッケージとレスポンス・パッケージにおけるバイト１またはバイト２の値が異なる場合に、通信失敗と見なし、通信を終了する。また、前記のコマンド・パッケージとレスポンス・パッケージにおけるバイト１とバイト２との値がすべて同じである場合に、そのレスポンス・パッケージにおけるバイト３とバイト４における交換されたい情報データを取り出し（Ｓ１１０）、その読み取りコマンドを実行し終える。
【００３０】
もし、前記のコマンド・パッケージが書き込みコマンドである場合に、そのスレーブ端のレスポンス・パッケージがマスター端のコマンド・パッケージとが同じであるかのことをチェックし（Ｓ１１１）、同じであると認められる場合に、そのスレーブ端が前記の書き込みコマンドを実行し終わったと認められ、もし、相異する場合では、そのスレーブ端が書き込みコマンドを実行しなかったと認められ、マスター端より改めて書き込みコマンドを実行し、もし、複数回繰り返しても受信したレスポンス・パッケージが依然としてコマンド・パッケージと相違する場合では、通信失敗と認められ、通信を終了する。
【００３１】
前記の実施の形態の説明する様に、本発明は、家庭用電気製品におけるマイクロコントローラ２０によってコントロール・コマンドまたはメッセージをＳＡＡＮＥＴ通信協定２１の通信パッケージにトランスフォームでき、また、二方向トランスフォーマー１３によってＳＡＡＮＥＴ通信協定２１の情報パッケージを特定の通信装置１２の商業用の仕様の標準的な協定の情報パッケージにトランスフォームし、それらの作業によってリモート・コントロール・センターとリンクを実行する。
【産業上の利用可能性】
【００３２】
そのため、自動化機能を有する電気製品のメーカが本発明の技術を利用して先にＳＡＡＮＥＴ通信協定２１と相容れるマイクロコントローラを開発でき、また、本発明の通信制御コード・トランスフォーム・モジュール２０を利用して現行の商業用の仕様の通信協定または招来の標準的通信協定とリンクを実行できるので、大量な開発時間とコストを減少でき、且つ未来の標準物と相容れられ、標準な通信協定またはマイクロコントローラを交換して改めて全部のコントロール・プログラムと通信協定とを書き直すなどをなくすことができる。
【図面の簡単な説明】
【００３３】
【図１】本発明の自動化機能を有する家庭用電気製品のコード・トランスフォーム・モジュールのシステムの構成を示す説明図である。
【図２】本発明における通信制御コード・トランスフォーム・モジュールのハードウェアの構成を示す説明図である。
【図３】本発明のＳＡＡＮＥＴの通信協定の情報パッケージの情報のフォーマットを示す説明図である。
【図４Ａ】本発明の通信フローを示す説明図である。
【図４Ｂ】本発明の通信フローを示す説明図である。
【符号の説明】
【００３４】
１        家庭用電気製品
２        リモート装置
３        家庭制御ネットワーク
１０      通信制御コード・トランスドーム・モジュール
１１      家庭用電気製品の制御電気回路
１２      特定通信装置
１３      二方向コード・トランスフォーマー
１４      不揮発性メモリ
２０      マイクロコントローラ
２１      ＳＡＡＮＥＴ通信協定
２２      二方向シリアル・トランスミッション・インターフェース
【図１】
2005198244.tif 000003
【図２】
2005198244.tif 000004
【図３】
2005198244.tif 000005
【図４Ａ】
2005198244.tif 000006
【図４Ｂ】
2005198244.tif 000007